(57)【要約】【課題】端子の保持力を高め、端子の表裏面と内壁面とのクリアランスを小さくし、端子抜けを防止し、コプラナリティを向上させる。【解決手段】平板状の端子１５を端子挿入孔４３に挿通させて保持するコネタクであって、端子挿入孔４３の内壁面４３ａと対向する端子１５の表裏面のいずれかの部位に係止突部５５を突設する。係止突部５５は、端子１５を端子挿入孔４３に挿入することにより内壁面４３ａに当接するように構成する。この構成は、特に、コネクタが回路基板に表面実装され、端子１５が回路基板上の回路パターンに固定され導通接続される場合に好適となる。また、係止突部５５は、挿入先端部が後方に向かって徐々に増大する傾斜面５５ａとなることが好ましい。【選択図】図５
2011113801.tif 000002
【特許請求の範囲】
【請求項１】
平板状の端子を端子挿入孔に挿通させて保持するコネタクであって、
前記端子挿入孔の内壁面と対向する前記端子の表裏面のいずれかの部位に係止突部を突設し、
前記係止突部が前記端子を前記端子挿入孔に挿入することにより前記内壁面に当接することを特徴とするコネクタ。
【請求項２】
請求項１記載のコネクタであって、
前記端子の両側縁に長手方向に沿って少なくとも一組の突起部が突設され、
前記突起部が前記端子を前記端子挿入孔に挿入することにより該端子挿入孔に当接することを特徴とするコネクタ。
【請求項３】
請求項２記載のコネクタであって、
前記係止突部と前記突起部とは端子の長手方向に位置ズレして配置されることを特徴とするコネクタ。
【発明の詳細な説明】
【技術分野】
【０００１】
本発明は、高速伝送用に用いて好適なコネクタに関する。
【背景技術】
【０００２】
ＨＤＭＩ（High Definition Multimedia Interface）規格に用いて好適なコネクタに例えば特許文献１に記載のものがある。図１０，図１１に示すように、このコネクタ（同文献では「レセプタクル」と称される）５００は、板金製のシェル５０１と、そのシェル５０１に四方を包囲されたレセプタクル本体５０３とから主に構成される。レセプタクル本体５０３は、基部５０５から端子台５０７が突出された樹脂製のモールディング部５０９と、モールディング部５０９の端子台５０７の上下両面に整列配置された複数の端子５１１と、端子５１１を支持するためモールディング部５０９に装着される樹脂製の上部ブロック５１３及び下部ブロック５１５とを備える。コネクタ５００は、シェル５０１とレセプタクル本体５０３とによってプラグ受け入れ空間５１７を形成すると共に、その端部にプラグ挿入口５１９を備える。
【０００３】
図１２に示すように、モールディング部５０９は、基部５０５のプラグ受け入れ空間５１７と反対側の面が背面部５２１となる。背面部５２１は、基部５０５に端子５１１を複数装着するためにプラグ挿入方向と平行に複数形成された端子挿入孔５２３を有する。端子挿入孔５２３は、モールディング部５０９の基部５０５に、背面部５２１から端子台５０７の方向に貫通形成されていて、上下方向（コネクタ５００の厚さ方向）に２段、ピッチ方向（コネクタ５００の幅方向）に等間隔に並んでいる。上段の端子挿入孔５２３と下段の端子挿入孔５２３とは、位相がずらされている。端子５１１は、端子挿入孔５２３に、モールディング部５０９の背面部５２１から夫々挿入される。
【０００４】
図１３に示すように、端子５１１は、接触部５２５と、接触部５２５に繋げて形成されモールディング部５０９の端子挿入孔５２３に圧入される幅広部５２７と、幅広部５２７の背面に形成され幅広部５２７を端子挿入孔５２３に圧入する際に治具等に押されるプッシャー面５２９と、幅広部５２７に繋げて形成され後方に延出されたアーム部５３１と、アーム部５３１の端部から図示しない回路基板に向けて略９０度屈曲されたレッグ部５３３と、レッグ部５３３の端部に形成され回路基板へ半田付けされるリード部５３５とにより構成されている。幅広部５２７は、端子挿入孔５２３への圧入のために、プッシャー面５２９側が接触部５２５側より幅広になっている。幅広部５２７は、接触部５２５側からアーム部５３１側にかけて、第１テーパ部５２７ａ、第１ストレート部５２７ｂ、第２テーパ部５２７ｃ、第２ストレート部５２７ｄが連なって形成される。
【０００５】
端子５１１は、幅広部５２７を端子挿入孔５２３に圧入することで、第１テーパ部５２７ａ、第１ストレート部５２７ｂ、第２テーパ部５２７ｃ、第２ストレート部５２７ｄが端子挿入孔５２３の内壁面に圧接し、端子挿入孔５２３から抜け止めされる。
【先行技術文献】
【特許文献】
【０００６】
【特許文献１】特開２００９−９７２８号公報
【発明の概要】
【発明が解決しようとする課題】
【０００７】
しかしながら、従来のコネクタ５００は、端子５１１に、幅広部５２７を設けて位置規制しているが、端子５１１の保持力が十分でなかった。保持力を高めるために幅広部５２７をさらに拡幅すればハウジング割れが生じ、保持力がさらに低下した。なお、一般的に幅広部５２７の端子側面に突起部を形成して、端子上下面に沿う方向の触れを規制する例があるが、端子上下面に垂直な方向には端子挿入性を確保するために端子挿入孔５２３との間に形成されるクリアランスによって移動する問題があった。端子５１１の垂直方向の移動は、端子最下面の均一性であるコプラナリティを低下させる要因となった。
【０００８】
本発明は上記状況に鑑みてなされたもので、端子の保持力を高め、端子の表裏面と内壁面とのクリアランスを小さくできるコネクタを提供し、もって、端子抜けの防止、コプラナリティの向上を図ることを目的とする。
【課題を解決するための手段】
【０００９】
本発明に係る上記目的は、下記構成により達成される。
（１）  平板状の端子を端子挿入孔に挿通させて保持するコネタクであって、
前記端子挿入孔の内壁面と対向する前記端子の表裏面のいずれかの部位に係止突部を突設し、
前記係止突部が前記端子を前記端子挿入孔に挿入することにより前記内壁面に当接することを特徴とするコネクタ。
【００１０】
このコネクタによれば、端子の例えば表面に係止突部が設けられ、係止突部が端子挿入孔の上壁内壁面に当接（突き当たった状態に接触）する。その結果、端子は、端子挿入孔の上下内壁面に挟持され、保持力が高まり、且つ上下にクリアランスがなくなる。
【００１１】
（２）  （１）のコネクタであって、
前記端子の両側縁に長手方向に沿って少なくとも一組の突起部が突設され、
前記突起部が前記端子を前記端子挿入孔に挿入することにより該端子挿入孔に当接することを特徴とするコネクタ。
【００１２】
このコネクタによれば、端子面の係止突部に加え、端子の両側縁にも突起部が設けられ、両突起部が端子挿入孔の両側内壁面に当接（突き当たった状態に接触）する。これにより、端子は、端子挿入孔の上下左右内壁面に挟持され、保持力がさらに高まり、且つ上下左右にクリアランスがなくなる。
【００１３】
（３）  （２）のコネクタであって、
前記係止突部と前記突起部とは端子の長手方向に位置ズレして配置されることを特徴とするコネクタ。
【００１４】
このコネクタによれば、係止突部の位置ではこの係止突部が端子挿入孔の上下内壁面のみに当接し、突起部の位置ではこの突起部が端子挿入孔の左右内壁面のみに当接する。これにより、端子挿入孔の挿入方向同一位置では、内壁面が上下左右に拡がることがなく、応力集中によるコネクタハウジングの割れが回避される。
【発明の効果】
【００１５】
本発明に係るコネクタによれば、端子の表裏面のいずれかに係止突部を突設し、この係止突部を端子挿入孔の内壁面に当接するよう構成したので、端子の保持力を高め、ユーザー取り扱い時における端子抜けを防止できる。また、端子の表裏面と内壁面とのクリアランスを小さくする（接触面積を増やす）ことで、端子を回路基板の実装面に高精度に位置決めでき、コプラナリティを向上させることができる。
【図面の簡単な説明】
【００１６】
【図１】本発明に係るコネクタのシェルとコネクタハウジングを分解した斜視図である。
【図２】図１のコネクタハウジングと端子を分解した斜視図である。
【図３】端子装着前のコネクタハウジングの断面図である。
【図４】端子装着後のコネクタハウジングの断面図である。
【図５】図４のＡ部拡大図である。
【図６】図５に示した係止構造の変形例の断面図である。
【図７】図１に示したコネクタハウジングの端子挿入孔近傍における平断面図である。
【図８】図７のＢ部拡大図である。
【図９】図６のＣ−Ｃ断面図である。
【図１０】従来のコネクタの斜視図である。
【図１１】図１０に示したコネクタの分解斜視図である。
【図１２】図１１に示したレセプタクル本体を背面側から見た拡大斜視図である。
【図１３】図１１に示した端子の拡大斜視図である。
【発明を実施するための形態】
【００１７】
以下、本発明の実施の形態を図面を参照して説明する。
図１は本発明に係るコネクタのシェルとコネクタハウジングを分解した斜視図である。
コネクタ１００は、シェル１１と、コネクタハウジング１３と、端子１５と、を具備する。本明細書中、コネクタ１００は嵌合側を前、その反対側を後とする。シェル１１は、導電性を有し、側部のそれぞれに一対の取付脚１９が一体的に形成されている。取付脚１９は、図示しない回路基板に設けた取付穴を貫通してその裏面に設けられた導体パターン（ＧＮＤパターン）に半田付けされ、同基板に固定される。
【００１８】
シェル１１の底面２１には、スプリング部２３が形成されている。スプリング部２３は、プラグ挿入口２５に進入するプラグ（図示せず）をそのバネ力で挟持する機能を有する。シェル１１の側面には、コネクタハウジング１３をシェル１１に固定するための係止爪２７が設けられ、シェル１１の上面２９には、コネクタ１００を受像機のシャシ等に固定するための取付孔３１が形成されたブラケット３３が設けられている。
【００１９】
図２は図１のコネクタハウジングと端子を分解した斜視図である。
コネクタハウジング１３は、基部３５から端子台３７が突出されて、樹脂材により一体成形されてなる。端子台３７は、上下両面に、複数の端子１５を整列配置する。コネクタ１００は、シェル１１とコネクタハウジング１３とによって図１に示すプラグ受け入れ空間３９を形成すると共に、その端部に上記のプラグ挿入口２５を備える。
【００２０】
図３は端子装着前のコネクタハウジングの断面図である。
コネクタハウジング１３は、基部３５のプラグ受け入れ空間３９と反対側の面が背面部４１となる。背面部４１は、基部３５に端子１５を複数装着するためにプラグ挿入方向と平行に複数形成された端子挿入孔４３を有する。端子挿入孔４３は、基部３５に、背面部４１から端子台３７の方向に貫通形成されていて、上下方向（コネクタ１００の厚さ方向）に２段、図２に示すピッチＰ方向（コネクタ１００の幅方向）に等間隔に並んでいる。上段の端子挿入孔４３と下段の端子挿入孔４３とは、位相がずらされている。端子１５は、位相の異なる端子挿入孔４３毎に、端子台下面側の端子１５Ａと端子台上面側の端子１５Ｂとに分けられ、基部３５の背面部４１からそれぞれ矢印ａ方向に挿入される。
【００２１】
端子１５は、平板状となり、接触部４５と、接触部４５に繋げて形成され端子挿入孔４３に圧入される圧入部４７と、圧入部４７に繋げて形成され後方に延出されたアーム部４９と、アーム部４９の端部から図示しない回路基板に向けて略９０度屈曲されたレッグ部５１と、レッグ部５１の端部に形成され回路基板へ半田付けされるリード部５３とにより構成されている。
【００２２】
図４は端子装着後のコネクタハウジングの断面図である。
背面部４１から挿入された端子１５は、圧入部４７が端子挿入孔４３に配置される。コネクタハウジング１３と端子１５の組立体は、端子１５を端子挿入孔４３に圧入することにより保持力を持たせている。
【００２３】
図５は図４のＡ部拡大図である。
ここで、端子１５の表裏面のいずれかの部位には係止突部５５が突設される。係止突部５５は、折り曲げ加工、張り出し加工、切り起こし加工等により形成することができる。図５に示すように、例えば端子裏面に設けられた係止突部５５は、端子挿入孔４３の下壁内壁面４３ａと対向する。したがって、係止突部５５は、端子１５を端子挿入孔４３に挿入することにより下壁内壁面４３ａに当接する。
【００２４】
図６は図５に示した係止構造の変形例の断面図である。
図６に示す例では、係止突部５５は、端子表面に設けられ、端子挿入孔４３の上壁内壁面４３ｂと当接する。図５，図６に示すように、圧入部４７を端子挿入孔４３に挿入した端子１５は、係止突部５５及び係止突部５５を挟む前後方向の表裏面を内壁面にそれぞれ平面接触させる。
【００２５】
係止突部５５のみでなく、係止突部５５を前後に挟む端子表裏面も下壁内壁面４３ａ、上壁内壁面４３ｂに接触することにより、端子１５と下壁内壁面４３ａ、上壁内壁面４３ｂとのクリアランスがさらに少なくなり、上下方向の保持力、位置規制作用が高まる。この場合、係止突部５５は、下壁内壁面４３ａ、上壁内壁面４３ｂを端子挿入により塑性変形することにより食い込ませることができる。また、下壁内壁面４３ａ、上壁内壁面４３ｂに予め係止突部５５の嵌入する凹部が形成されていてもよい。
【００２６】
係止突部５５は、挿入先端部が後方に向かって徐々に増大する傾斜面５５ａに形成される。つまり、係止突部５５は、挿入方向先端に向かって薄厚となる。これにより、挿入時、端子挿入孔４３の形成されるコネクタハウジング１３に強い応力が加わらなくなり、滑らかな挿入が可能となっている。
【００２７】
また、端子挿入孔４３の開口部には、端子挿入方向ａに向かって傾斜したガイド面５７が形成される。開口部に端子挿入方向に向かって傾斜面（すなわち、端子挿入方向と反対方向に向かって徐々に広がる傾斜面）が形成され、端子挿入時、開口部には端子先端によって徐々に応力が加わる。これにより、急激な応力が加わることによる開口部の割れが回避される。また、端子１５の滑らかな受け入れが可能となっている。
【００２８】
図７は図１に示したコネクタハウジングの端子挿入孔近傍における平断面図、図８は図７のＢ部拡大図である。
端子挿入孔４３は、隣接する端子挿入孔４３との間が隔壁５９となる。隔壁５９は、端子挿入方向ａに向かって左壁内壁面４３ｃと、右壁内壁面４３ｄとなる。端子１５の両側縁には、長手方向に沿って少なくとも一組の突起部６１，６１が突設される。本例では、前後に２組の突起部６１，６１が設けられている。突起部６１は、端子１５を端子挿入孔４３に挿入することにより端子挿入孔４３の左壁内壁面４３ｃ、右壁内壁面４３ｄに当接する。
【００２９】
本実施の形態による端子１５は、端子表裏面の係止突部５５に加え、端子１５の両側縁にも突起部６１が設けられ、両突起部６１，６１が端子挿入孔４３の両側内壁面４３ｃ，４３ｄに当接（突き当たった状態に接触）する。これにより、端子１５は、端子挿入孔４３の上下左右内壁面４３ａ，４３ｂ，４３ｃ，４３ｄに挟持され、保持力がさらに高まり、且つ上下左右にクリアランスがなくなる。
【００３０】
なお、係止突部５５と突起部６１の双方を設けた構成では、係止突部５５と突起部６１とは、端子１５の長手方向に位置ズレして配置されることが好ましい。係止突部５５の位置ではこの係止突部５５が端子挿入孔４３の上下内壁面４３ｂ，４３ａのみに当接し、突起部６１の位置ではこの突起部６１が端子挿入孔４３の左右内壁面４３ｃ，４３ｄのみに当接する。これにより、端子挿入孔４３の挿入方向同一位置では、内壁面４３ａ，４３ｂ，４３ｃ，４３ｄが上下左右に同時に拡がることがなく、応力集中によるコネクタハウジング１３の割れが回避される。
【００３１】
次に、上記構成を有するコネクタ１００の作用を説明する。
図９は図６のＣ−Ｃ断面図である。
コネクタ１００では、コネクタハウジング１３の端子挿入孔４３に端子１５が挿入される。図９に示すように、端子１５の例えば表面に係止突部５５が設けられていると、その係止突部５５が端子挿入孔４３の上壁内壁面４３ｂに当接する。その結果、端子１５は、端子挿入孔４３の上下内壁面４３ｂ，４３ａに挟持され、保持力が高まり、且つ上下にクリアランスがなくなる。
【００３２】
係止突部５５には拡幅部５５ａが形成されていてもよい。この場合、係止突部５５は、高さ方向（図９の上下方向）に圧入されるとともに、端子幅方向（図９の左右方向）にも圧入されることとなる。
【００３３】
そして、このようにして端子１５の装着されたコネクタ１００が、回路基板に表面実装されると、端子１５が回路基板上の回路パターンに固定され導通接続される。その際、コネクタ１００では、端子挿入孔４３内の端子上下にクリアランスがなくなっているので、複数端子１５のリード部５３の最下面が上下に高精度に位置決めされる。これにより、特に、コネクタ１００が回路基板に表面実装される構成においては、各端子最下面が回路パターンに高い均一性で位置決め可能となる。
【００３４】
したがって、本実施の形態によるコネクタ１００によれば、端子１５の表裏面のいずれかに係止突部５５を突設し、この係止突部５５を端子挿入孔４３の内壁面に当接するよう構成したので、端子１５の保持力を高め、ユーザー取り扱い時における端子抜けを防止できる。また、端子１５の表裏面と内壁面とのクリアランスを小さくする（接触面積を増やす）ことで、端子１５を回路基板の実装面に高精度に位置決めでき、コプラナリティを向上させることができる。
【符号の説明】
【００３５】
１５  端子
４３  端子挿入孔
４３ａ，４３ｂ，４３ｃ，４３ｄ  端子挿入孔の内壁面
５５  係止突部
５５ａ  傾斜面
６１  一組の突起部
５７  ガイド面
１００  コネタク
ａ  端子挿入方向
【図１】
2011113801.tif 000003
【図２】
2011113801.tif 000004
【図３】
2011113801.tif 000005
【図４】
2011113801.tif 000006
【図５】
2011113801.tif 000007
【図６】
2011113801.tif 000008
【図７】
2011113801.tif 000009
【図８】
2011113801.tif 000010
【図９】
2011113801.tif 000011
【図１０】
2011113801.tif 000012
【図１１】
2011113801.tif 000013
【図１２】
2011113801.tif 000014
【図１３】
2011113801.tif 000015